(57)【要約】【課題】主磁極の記録能力を劣化させることなく、主磁極側端部でのサイドイレーズを抑制できる垂直記録用磁気ヘッドを提供する。【解決手段】記録磁界を発生する主磁極と、記録磁界の閉磁路を形成するためのリターン磁極と、クロストラック方向において主磁極から磁気的に離間して配置されたサイドシールドとを有する垂直記録用磁気ヘッドであって、前記サイドシールドのトレーリング端の前記主磁極への最近接点が、前記主磁極のトレーリング端に対してリーディング側に位置することを特徴とする垂直記録用磁気ヘッド。【選択図】      図４
2007328898.tif 000002
【特許請求の範囲】
【請求項１】
記録磁界を発生する主磁極と、クロストラック方向において主磁極から磁気的に離間して配置されたサイドシールドとを有する垂直記録用磁気ヘッドであって、前記サイドシールドのトレーリング端の前記主磁極への最近接点が、前記主磁極のトレーリング端に対してリーディング側に位置することを特徴とする垂直記録用磁気ヘッド。
【請求項２】
前記主磁極のトレーリング端と前記サイドシールドのトレーリング端の前記主磁極への最近接点との間の距離ＳＺと、前記主磁極のポール長ＰＬとの比ＳＺ／ＰＬが、１／３〜１であることを特徴とする請求項１に記載の垂直記録用磁気ヘッド。
【請求項３】
記録磁界を発生する主磁極と、記録磁界の閉磁路を形成するためのリターン磁極と、クロストラック方向において主磁極から磁気的に離間して配置されたサイドシールドとを有する垂直記録用磁気ヘッドであって、前記サイドシールドのトレーリング端の前記主磁極への最近接点が、前記主磁極のトレーリング端に対してリーディング側に位置することを特徴とする垂直記録用磁気ヘッド。
【請求項４】
前記リターン磁極のリーディング端と前記サイドシールドのトレーリング端の前記主磁極への最近接点との間の距離ＳＳＷと、前記主磁極のポール長ＰＬとの比ＳＳＷ／ＰＬが、１／３〜１であることを特徴とする請求項３に記載の垂直記録用磁気ヘッド。
【請求項５】
前記主磁極と前記サイドシールドとの間の最短距離ＳＳＰが、前記リターン磁極のリーディング端と前記サイドシールドのトレーリング端の前記主磁極への最近接点との間の距離ＳＳＷよりも短いことを特徴とする請求項３または４に記載の垂直記録用磁気ヘッド。
【請求項６】
前記主磁極と前記サイドシールドとの間の最短距離ＳＳＰと、前記リターン磁極のリーディング端と前記サイドシールドのトレーリング端の前記主磁極への最近接点との間の距離ＳＳＷとの比ＳＳＰ／ＳＳＷが０．１以上０．７以下であることを特徴とする請求項３または４に記載の垂直記録用磁気ヘッド。
【請求項７】
前記主磁極と前記サイドシールドとの間の最短距離ＳＳＰと、前記リターン磁極のリーディング端と前記サイドシールドのトレーリング端の前記主磁極への最近接点との間の距離ＳＳＷとの比ＳＳＰ／ＳＳＷが
０．１＜ＳＳＰ／ＳＳＷ＜−０．０３４×θb＋０．６７
（ここで、θbは主磁極のベベル角［ｄｅｇ］である）
の関係を満たすことを特徴とする請求項３または４に記載の垂直記録用磁気ヘッド。
【請求項８】
前記サイドシールドと前記リターン磁極とが前記主磁極から離間した位置で接合されていることを特徴とする請求項３ないし７のいずれか１項に記載の垂直記録用磁気ヘッド。
【請求項９】
前記主磁極のトレーリング端のコーナーから前記サイドシールドと前記リターン磁極の接合点までの距離ＢＷと、前記主磁極と前記サイドシールドとの間の最短距離ＳＳＰとの比ＢＷ／ＳＳＰが３以上であることを特徴とする請求項８に記載の垂直記録用磁気ヘッド。
【請求項１０】
基板上に軟磁性下地層および媒体面に対して垂直方向に磁化容易軸をもつ垂直記録層を有する磁気ディスクと、
請求項１ないし９のいずれか１項に記載の垂直記録用記録ヘッドを搭載し、前記垂直記録用記録ヘッドを前記磁気ディスク上に位置決めするロータリーアクチュエータと
を具備したことを特徴とする磁気ディスク装置。
【発明の詳細な説明】
【技術分野】
【０００１】
本発明は、サイドシールドを有する垂直記録用磁気ヘッドと、この垂直記録用磁気ヘッドを搭載した磁気ディスク装置に関する。
【背景技術】
【０００２】
垂直記録方式の磁気ディスク装置では、垂直記録用記録ヘッドは主磁極のトレーリング端の近傍で磁気ディスクに対して記録を行う。しかし、垂直記録用記録ヘッドがたとえば磁気ディスクの内周部または外周部の上に位置している場合、主磁極の長手方向がトラック方向に対して大きくスキューすることがある。記録ヘッドに大きなスキュー角がつくと、主磁極のトレーリング端部だけでなく、主磁極の側端部でも書き込みが行われる。この場合、主磁極の側端部により、隣接トラックに既に記録された信号の一部が消去されるという問題（サイドイレーズ）が生じる。主磁極の側端部によるサイドイレーズを避けるために記録トラック間のガードバンド幅を広くすると、トラック密度を向上することが困難になる。
【０００３】
従来、上記の問題を解決するために、主磁極と、補助磁極（リターン磁極）と、媒体対向面において主磁極のトレーリング端および側端を囲むように加工されたサイドシールドとを有する垂直記録用磁気ヘッドが知られている。このサイドシールドは主磁極のトレーリング端の近傍から補助磁極まで達し、このサイドシールドのトレーリング端は補助磁極と接合している（特許文献１）。この垂直記録用磁気ヘッドでは、サイドシールドを設けたことによって主磁極の側端部によるイレーズ幅を抑制することができる。しかし、このような構造のサイドシールドを設けると、主磁極直下の記録能力が劣化するため、オーバーライト不足となり、良好な信号品質が得られないという問題があった。
【特許文献１】特開２００５−１９０５１８号公報
【発明の開示】
【発明が解決しようとする課題】
【０００４】
本発明の目的は、主磁極の記録能力を劣化させることなく、主磁極側端部でのサイドイレーズを抑制できる垂直記録用磁気ヘッドおよび磁気ディスク装置を提供することにある。
【課題を解決するための手段】
【０００５】
本発明の一態様に係る垂直記録用磁気ヘッドは、記録磁界を発生する主磁極と、クロストラック方向において主磁極から磁気的に離間して配置されたサイドシールドとを有する垂直記録用磁気ヘッドであって、前記サイドシールドのトレーリング端の前記主磁極への最近接点が、前記主磁極のトレーリング端に対してリーディング側に位置することを特徴とする。
【０００６】
本発明の他の態様に係る垂直記録用磁気ヘッドは、記録磁界を発生する主磁極と、記録磁界の閉磁路を形成するためのリターン磁極と、クロストラック方向において主磁極から磁気的に離間して配置されたサイドシールドとを有する垂直記録用磁気ヘッドであって、前記サイドシールドのトレーリング端の前記主磁極への最近接点が、前記主磁極のトレーリング端に対してリーディング側に位置することを特徴とする。
【０００７】
本発明のさらに他の態様に係る磁気ディスク装置は、基板上に軟磁性下地層および媒体面に対して垂直方向に磁化容易軸をもつ垂直記録層を有する磁気ディスクと、上記のいずれかの垂直記録用記録ヘッドを搭載し、前記垂直記録用記録ヘッドを前記磁気ディスク上に位置決めするロータリーアクチュエータとを具備したことを特徴とする。
【発明の効果】
【０００８】
本発明の垂直記録用磁気ヘッドおよび磁気ディスク装置によれば、主磁極のオントラックでの記録能力を確保したまま、主磁極側端部でのサイドイレーズを抑制することができるため、トラック密度の向上に寄与できる。
【発明を実施するための最良の形態】
【０００９】
以下、本発明の実施形態をより詳細に説明する。
【００１０】
まず、図１（ａ）および（ｂ）を参照して、磁気ヘッドにスキュー角がついたときの問題点を説明する。図１（ａ）に、トラック方向に対する主磁極３１のスキュー角ＳＴＨを示す。図の３２はリターン磁極である。この図に示されるように、大きなスキュー角がついている場合、主磁極３１のトレーリング端部だけでなく、主磁極３１の側端部でも書き込みが行われる。この場合、主磁極３１の側端部により、隣接トラックに既に記録された信号の一部が消去されるという問題（サイドイレーズ）が生じる。図１（ｂ）に示すように、主磁極３１の側端部によるサイドイレーズを避けるために記録トラック間のガードバンド幅を広くすると、トラック密度を向上することが困難になる。
【００１１】
本発明は、主磁極の記録能力を劣化させることなく、主磁極側端部でのサイドイレーズを抑制できる垂直記録用磁気ヘッドおよび磁気ディスク装置を提供するものである。
【００１２】
図２は、本発明の第１の実施形態に係る磁気ヘッドと垂直記録媒体とを搭載した垂直磁気ディスク装置を示す断面図である。図３は、図２の記録ヘッドを示す斜視図である。図４は、図２の記録ヘッドを媒体対向面（ＡＢＳ）からみた平面図である。
【００１３】
磁気ディスク１０は、基板１１上に軟磁性下地層１２および媒体面に対して垂直方向に磁気異方性をもつ垂直記録層１３を有する垂直二層膜媒体である。
【００１４】
磁気ヘッドは、再生ヘッド２０と記録ヘッド３０とが分離した分離型磁気ヘッドである。再生ヘッド２０は、磁気抵抗効果膜２２と、そのリーディング側およびトレーリング側に配置されたシールド膜２１、２３から構成されている。
【００１５】
記録ヘッドは、媒体面に対して垂直方向に記録磁界を発生させる高透磁率材料からなる主磁極３１と、クロストラック方向において主磁極３１から磁気的に離間して配置された高透磁率材料からなるサイドシールド４１と、主磁極３１のトレーリング側に配置され主磁極３１直下の磁気ディスク１０の軟磁性下地層１２を介して効率的に記録磁界の磁路を閉じるために設けられたリターン磁極３２と、主磁極３１に磁束を流すために主磁極３１とリターン磁極３２とをＡＢＳから離れた位置で接続する磁路に巻回されたコイル３３とを有する。なお、リターン磁極３２は必ずしも設ける必要はない。
【００１６】
これらの図に示されるように、サイドシールド４１のトレーリング端の主磁極３１への最近接点Ｘは、主磁極３１のトレーリング端に対してリーディング側に位置している。
【００１７】
また、この実施形態では、主磁極３１は、リーディング端の幅がトレーリング端の幅よりも狭くなっている。サイドシールド４１は、主磁極３１のリーディング側の近傍において、主磁極３１の両側に２つに分断された状態で配置されている。２つのサイドシールド４１の側端はそれぞれ主磁極３１の側端に沿うように形成されている。サイドシールド４１は、主磁極３１から遠ざかる方向に向かって、ＡＢＳからリセスしている。
【００１８】
図４には、記録ヘッドの性能を評価するパラメータとして、リターン磁極３２のリーディング端とサイドシールド４１のトレーリング端の主磁極３１への最近接点Ｘとの間の距離ＳＳＷ、主磁極３１のポール長ＰＬ、主磁極３１とサイドシールド４１との間の最短距離ＳＳＰ、およびリターン磁極３２のリーディング端と主磁極３１のトレーリング端との間のギャップ長ＷＧを表示している。
【００１９】
ここでは、サイドシールド４１のトレーリング端の主磁極３１への最近接点をＸとし、距離ＳＳＷをリターン磁極３２のリーディング端と最近接点Ｘとの間の距離と定義している。この理由は以下の通りである。すなわち、スキュー角がついていないときに、図４に示したようにサイドシールド４１のトレーリング端は、クロストラック方向に平行な場合に限らず、クロストラック方向に対して傾斜している場合（後述）もある。サイドシールド４１がどのような形状を有していても、パラメータの１つとして、リターン磁極３２のリーディング端とサイドシールド４１のトレーリング端の主磁極３１への最近接点Ｘとの間の距離ＳＳＷを用いれば、記録ヘッドの性能を評価することができる。ただし、図４に示したように、サイドシールド４１のトレーリング端がクロストラック方向に平行な場合には、リターン磁極３２のリーディング端とサイドシールド４１のトレーリング端との間の距離ＳＳＷは、どの個所でも一定している。したがって、以下においては、距離ＳＳＷを単にリターン磁極３２とサイドシールド４１との間の距離という場合がある。
【００２０】
なお、リターン磁極３２を設けない場合には、距離ＳＳＷに相当するパラメータとして、主磁極３１のトレーリング端とサイドシールド４１のトレーリング端の主磁極３１への最近接点Ｘとの間の距離ＳＺを用いる。
【００２１】
図５は、本発明の第２の実施形態に係る記録ヘッドをＡＢＳからみた平面図である。この図では、主磁極３１は、トレーリング端の幅およびリーディング端の幅がほぼ等しくなっている。サイドシールド４２は、主磁極３１のリーディング側の近傍において、主磁極３１の両側に２つに分断された状態で配置されている。２つのサイドシールド４２の側端はそれぞれ主磁極３１の側端に沿うように形成されている。
【００２２】
図６は、本発明の第３の実施形態に係る記録ヘッドをＡＢＳからみた平面図である。この図では、主磁極３１は、トレーリング端の幅およびリーディング端の幅がほぼ等しくなっている。サイドシールド４３は、主磁極３１のリーディング側の近傍において、主磁極３１の両側に２つに分断された状態で配置されている。２つのサイドシールド４３の側端と主磁極３１との距離は、リーディング側で短く、トレーリング側で長くなっている。
【００２３】
図７は、本発明の第４の実施形態に係る記録ヘッドをＡＢＳからみた平面図である。図７に示すＡＢＳでの主磁極３１およびサイドシールド４４の形態は、図４の場合とほぼ同様である。しかし、図７では、主磁極３１はトラック方向に沿って磁性層３１１と非磁性層３１２が交互に積層された多層構造を有し、サイドシールド４４はトラック方向に沿って磁性層４４１と非磁性層４４２が交互に積層された多層構造を有する。
【００２４】
本発明の実施形態においては、記録ヘッドの性能を評価する指標として、イレーズバンド幅を用いる。図８（ａ）および（ｂ）を参照して、イレーズバンド幅について説明する。図８（ａ）および（ｂ）に示すように、着目する中央トラックをＴＲ１、その両側の隣接トラックをそれぞれＴＲ２およびＴＲ３とする。
【００２５】
まず、図８（ａ）に示すように、中央トラックＴＲ１の両側の隣接トラックＴＲ２およびＴＲ３にそれぞれ記録信号Ｐ２およびＰ３を記録する。記録信号Ｐ２およびＰ３の磁気トラック幅を、トラックプロファイルのピーク値Ｖの半値幅ＭＬ２およびＭＬ３と定義する。隣接トラックＴＲ２は、ＴＲ２とＴＲ１との距離が記録信号Ｐ２の磁気トラック幅ＭＬ２よりも短い位置に記録する。隣接トラックＴＲ３は、ＴＲ３とＴＲ１との距離が記録信号Ｐ３の磁気トラック幅ＭＬ３よりも短い位置に記録する。
【００２６】
次に、図８（ｂ）に示すように、中央トラックＴＲ１に記録信号Ｐ１を記録する。中央トラックＴＲ１での記録後には、両側の隣接トラックＴＲ２およびＴＲ３に書かれていた記録信号Ｐ２およびＰ３は、出力低下と記録幅の減少を伴う信号ＰＭ２およびＰＭ３となる。図８（ｂ）に信号ＰＭ２およびＰＭ３のトラックプロファイルを実線で示す。図８（ｂ）において、図８（ａ）の記録信号Ｐ２およびＰ３の出力Ｖの半値となる記録信号ＰＭ２とＰＭ３との距離をイレーズ幅ＥＬと定義する。イレーズ幅ＥＬが大きい場合には隣接トラックの消去があり、イレーズ幅ＥＬが小さい場合には隣接トラックの消去が少ないと判断できる。したがって、イレーズ幅ＥＬの度合いにより、記録ヘッドの性能を評価できる。同様に、イレーズバンド幅ＥＢ＝イレーズ幅ＥＬ−磁気記録幅ＭＬ２（またはＭＬ３）により、記録ヘッドの性能を評価できる。
【００２７】
図９は、イレーズバンド幅ＥＢの差と、ＳＳＷ（リターン磁極とサイドシールドとの間の距離）のＰＬ（主磁極のポール長）に対する比ＳＳＷ／ＰＬとの関係を示す図である。図９の縦軸のイレーズバンド幅ＥＢの差とは、記録能力が互いに同等な、サイドシールドなしの記録ヘッドおよびサイドシールドありの記録ヘッドについて、サイドシールドなしの記録ヘッドのイレーズバンド幅に対するサイドシールドなしの記録ヘッドのイレーズバンド幅の差を示したものである。したがって、サイドシールドを設けた記録ヘッドによってイレーズバンド幅ＥＢの差が負の値になれば、サイドイレーズを抑制する効果が得られることを意味する。図９には、第１の実施形態および第３の実施形態の記録ヘッドによる結果を表示している。いずれも記録ヘッドでも、ＳＳＷ／ＰＬ比がおおよそ１／３〜１の範囲にあるときに、イレーズバンド幅を低減できることがわかる。
【００２８】
イレーズバンド幅ＥＢは、主磁極のベベル角によっても影響を受ける。図１０に示すように、ベベル角θb（ｄｅｇ）は、主磁極の側面がダウントラック方向に対してなす角度のことをいう。
【００２９】
図４の実施例の磁気ヘッドにおいて、ベベル角θb（ｄｅｇ）の異なる２種の主磁極３１を用い、ＳＳＰとＳＳＷを変化させた場合のイレーズバンド幅ＥＢの差を調べた。図１１に、イレーズバンド幅ＥＢの差と、ＳＳＰのＳＳＷに対する比ＳＳＰ／ＳＳＷとの関係を示す。この図に示されるように、ＳＳＰ／ＳＳＷを減少させていくにつれて、イレーズバンド幅ＥＢの差は小さくなり、イレーズバンド低減効果が現れる。たとえば、ベベル角θb（ｄｅｇ）が９°の場合には、０．１＜ＳＳＰ／ＳＳＷ＜０．３５の範囲で、従来の磁気ヘッドよりもイレーズバンドを低減できる。また、ベベル角θb（ｄｅｇ）が５°の場合には、０．１＜ＳＳＰ／ＳＳＷ＜０．５の範囲で、従来の磁気ヘッドよりもイレーズバンドを低減できる。
【００３０】
図１２は、イレーズバンド低減効果が得られるＳＳＰ／ＳＳＷのベベル角依存性を示している。この図に示されるように、０．１＜ＳＳＰ／ＳＳＷ＜０．７の範囲で、イレーズバンド低減効果が得られる。また、ＳＳＰ／ＳＳＷの上限値は、ベベル角θb（ｄｅｇ）に依存し、−０．０３４×θb＋０．６７と表されることがわかる。したがって、０．１＜ＳＳＰ／ＳＳＷ＜−０．０３４×θb＋０．６７の関係を満たす領域で、イレーズバンド低減効果が特に有効に得られるといえる。
【００３１】
また、リターンパス磁極とサイドシールドとの間の距離ＳＳＷは、リターン磁極と主磁極との間のギャップ長ＷＧの２倍以上であることが好ましい。
【００３２】
図１３は、本発明の実施形態に係る記録ヘッドをＡＢＳからみた平面図に、記録ヘッドから漏洩する磁界の２次元分布を重ねて表示した図である。この記録ヘッドでは、主磁極３１のトレーリング端に対してリーディング側にそのトレーリング端が位置するサイドシールド４１を設けたことにより、主磁極３１のトレーリング端の近傍における磁界強度を、サイドシールドのない記録ヘッドの場合と同程度に維持できる。しかも、図９を参照して説明したように、サイドシールド４１を設けたことにより、主磁極３１の側端によるイレーズバンド幅ＥＥ３を低減することができる。
【００３３】
一方、既述した特開２００５−１９０５１８号公報のように、主磁極のトレーリング端の近傍からリターン磁極まで達しリターン磁極と接合しているサイドシールドを設けた記録ヘッドの場合、イレーズバンド幅を低減できるが、主磁極のトレーリング端部での磁界強度が弱くなり、オントラックの記録パターンの信号品質が悪化する。このため、この従来技術では、トラック密度を向上できるが、線密度を向上することができず、磁気ディスク装置としての記録密度を向上できないという欠点があった。
【００３４】
図１４（ａ）および（ｂ）は、本発明の第５の実施形態に係る記録ヘッドをＡＢＳから見た平面図およびこの記録ヘッドの斜視図である。この記録ヘッドのサイドシールド４５は、主磁極３１に対してリーディング側に設けられ、主磁極３１の側端およびリーディング端から磁気的に離間しているが、たとえば図４の場合と異なり、主磁極３１の両側で分断されていない。
【００３５】
この記録ヘッドでも、リターン磁極３２とサイドシールド４５との間の距離ＳＳＷの、主磁極のポール長ＰＬに対する比ＳＳＷ／ＰＬが、おおむね１／３〜１の範囲にあることが好ましい。
【００３６】
図１５は、本発明の第６の実施形態に係る磁気ヘッドの斜視図である。この記録ヘッドのサイドシールド４６は、接続部５１を介して再生ヘッドのシールド膜２３と接続されている。なお、シールド膜２３とサイドシールド４６をＡＢＳよりも奥側で接続してもよい。
【００３７】
図１６（ａ）および（ｂ）は、本発明の第７の実施形態に係る記録ヘッドをＡＢＳから見た平面図およびこの記録ヘッドの斜視図である。この記録ヘッドのサイドシールド４７は、主磁極３１のリーディング側の近傍ではクロストラック方向において主磁極３１から磁気的に離間し主磁極３１の両側に２つに分断された状態で配置されているが、主磁極３１から離れた位置でリターン磁極３２と接合している。
【００３８】
図１７を参照して、第７の実施形態に係る記録ヘッドの効果を説明する。図１７は、イレーズバンド幅ＥＢの差と、ＢＷ（主磁極３１のトレーリング端のコーナーからサイドシールド４７とリターン磁極３２の接合点までの距離）の、ＳＳＰ（主磁極３１とサイドシールド４７との間の最短距離）との比ＢＷ／ＳＳＰとの関係を示す図である。
【００３９】
ここで、図１７の縦軸のイレーズバンド幅ＥＢの差とは、図９を参照して説明したとおりである。図１７から、ＢＷ／ＳＳＰ比が３以上の場合に、イレーズバンド幅を低減させる効果が認められる。特に、ＢＷ／ＳＳＰ比が１０以上の場合に、イレーズバンド幅を低減させる効果が大きい。
【００４０】
図１８は、本発明の第８の実施形態に係る記録ヘッドの斜視図である。この記録ヘッドのサイドシールド４８も、図１６（ｂ）のサイドシールド４７と同様に、主磁極３１のリーディング側の近傍ではクロストラック方向において主磁極３１から磁気的に離間し主磁極３１の両側に２つに分断された状態で配置されているが、主磁極３１から離れた位置でリターン磁極３２と接合している。ただし、サイドシールド４８の形状はサイドシールド４７の形状と異なっている。
【００４１】
この記録ヘッドでも、図１７を参照して説明したように、ＢＷ／ＳＳＰ比が３以上の場合にイレーズバンド幅を低減させる効果が認められ、ＢＷ／ＳＳＰ比が１０以上の場合にイレーズバンド幅を低減させる効果が大きい。
【００４２】
図１９は、本発明の第９の実施形態に係る記録ヘッドをＡＢＳから見た平面図である。この記録ヘッドの主磁極３１は、リーディング側の側端にテーパーが付いており、リーディング端の幅がトレーリング端の幅より短くなっている。この記録ヘッドのサイドシールド４９は、主磁極３１のリーディング側の近傍ではクロストラック方向において主磁極３１から磁気的に離間し主磁極３１の両側に２つに分断された状態で配置されているが、主磁極３１から離れた位置でリターン磁極３２と接合している。
【００４３】
この記録ヘッドでも、ＳＳＷ／ＰＬ比がおおよそ１／３〜１の範囲にあるときに、イレーズバンド幅を低減できる。また、主磁極３１とサイドシールド４１との最短距離ＳＳＰｋに対するＢＷの比ＢＷ／ＳＳＰｋが３以上、特に１０以上の場合にイレーズバンド幅を低減させる効果が大きい。
【００４４】
以上説明したように、本発明に係る垂直記録用磁気ヘッドによれば、主磁極の記録能力を劣化させることなく、スキューしたときの主磁極側端部でのサイドイレーズを抑制でき、垂直磁気ディスク装置の高記録密度化に大きく寄与する。
【００４５】
図２０に、本発明の実施形態に係る磁気ディスク装置の斜視図を示す。この磁気記録装置は、垂直磁気ディスクと、垂直記録用記録ヘッドを磁気ディスク上に位置決めするロータリーアクチュエータとを有する。
【００４６】
磁気ディスク１０は、図２に示したように、基板上に軟磁性下地層よび媒体面に対して垂直方向に磁気異方性をもつ垂直記録層を有する垂直二層膜媒体である。磁気ディスク１０には同心円状に記録トラックが形成される。磁気ディスク１０は筐体１００に設けられたスピンドルモータ１０１に回転可能に装着される。ロータリーアクチュエータは、アクチュエータアーム１０３、サスペンション１０４、ヘッドスライダー１０５、ボイスコイルモータ（ＶＣＭ）１０６などを含む。
【００４７】
磁気ディスク１０の近傍にピボット１０２が設けられ、ピボット１０２にアクチュエータアーム１０３が取り付けられている。アクチュエータアーム１０３の一端にサスペンション１０４が保持され、サスペンション１０４の下面にヘッドスライダー１０５が支持されている。このヘッドスライダー１０５には、図２に示したように、再生ヘッドおよび記録ヘッドが形成されている。その記録ヘッドとしては、たとえば第１ないし第９の実施形態で説明したものが用いられる。アクチュエータアーム１０３の他端にはアクチュエータとしてボイスコイルモータ１０６が設けられている。ボイスコイルモータ１０６によってアクチュエータアーム１０３、サスペンション１０４およびヘッドスライダー１０５を駆動して、記録ヘッドを磁気ディスク１０の任意の半径位置に位置決めする。
【００４８】
図２０に示すロータリーアクチュエータを備えた磁気ディスク装置では、記録ヘッドが磁気ディスク１０の内周部または外周部に位置したときに、図１に示したように大きなスキュー角がつく。上述したように、本発明に係る記録ヘッドを用いた場合、大きなスキュー角がついても、主磁極側端部でのサイドイレーズを抑制でき、しかも主磁極の記録能力を劣化させることがない。
【図面の簡単な説明】
【００４９】
【図１】磁気ヘッドにスキュー角がついたときの問題点を説明する図。
【図２】第１の実施形態に係る磁気ヘッドと垂直記録媒体とを搭載した垂直磁気ディスク装置を示す断面図。
【図３】図２の記録ヘッドを示す斜視図。
【図４】図２の記録ヘッドを媒体対向面（ＡＢＳ）からみた平面図。
【図５】第２の実施形態に係る記録ヘッドをＡＢＳからみた平面図。
【図６】第３の実施形態に係る記録ヘッドをＡＢＳからみた平面図。
【図７】第４の実施形態に係る記録ヘッドをＡＢＳからみた平面図。
【図８】イレーズバンド幅を説明する図。
【図９】イレーズバンド幅ＥＢの差と、ＳＳＷ／ＰＬ比との関係を示す図。
【図１０】主磁極のベベル角を説明する図。
【図１１】ベベル角が異なる主磁極を用いた場合の、イレーズバンド幅ＥＢの差と、ＳＳＷ／ＰＬ比との関係を示す図。
【図１２】イレーズバンド低減効果が得られるＳＳＰ／ＳＳＷのベベル角依存性を示す図。
【図１３】本発明の実施形態に係る記録ヘッドから漏洩する磁界の２次元分布を表示した図。
【図１４】第５の実施形態に係る記録ヘッドをＡＢＳから見た平面図およびこの記録ヘッドの斜視図。
【図１５】第６の実施形態に係る磁気ヘッドの斜視図。
【図１６】第７の実施形態に係る記録ヘッドをＡＢＳから見た平面図およびこの記録ヘッドの斜視図。
【図１７】第７の実施形態に係る記録ヘッドの効果を説明する図。
【図１８】第８の実施形態に係る記録ヘッドの斜視図。
【図１９】第９の実施形態に係る記録ヘッドをＡＢＳから見た平面図。
【図２０】本発明の実施形態に係る磁気ディスク装置の斜視図。
【符号の説明】
【００５０】
１０…磁気ディスク、１１…基板、１２…軟磁性下地層、１３…垂直記録層、２０…再生ヘッド、２１、２３…シールド膜、２２…磁気抵抗効果膜、３０…記録ヘッド、３１…主磁極、３２…リターン磁極、３３…コイル、４１、４２、４３、４４、４５、４６、４７、４８、４９…サイドシールド、１００…筐体、１０１…スピンドルモータ、１０２…ピボット、１０３…アクチュエータアーム、１０４…サスペンション、１０５…ヘッドスライダー、１０６…ボイスコイルモータ（ＶＣＭ）。
【図１】
2007328898.tif 000003
【図２】
2007328898.tif 000004
【図３】
2007328898.tif 000005
【図４】
2007328898.tif 000006
【図５】
2007328898.tif 000007
【図６】
2007328898.tif 000008
【図７】
2007328898.tif 000009
【図８】
2007328898.tif 000010
【図９】
2007328898.tif 000011
【図１０】
2007328898.tif 000012
【図１１】
2007328898.tif 000013
【図１２】
2007328898.tif 000014
【図１３】
2007328898.tif 000015
【図１４】
2007328898.tif 000016
【図１５】
2007328898.tif 000017
【図１６】
2007328898.tif 000018
【図１７】
2007328898.tif 000019
【図１８】
2007328898.tif 000020
【図１９】
2007328898.tif 000021
【図２０】
2007328898.tif 000022